【手続補正書】
【提出日】平成26年12月15日(2014.12.15)
【手続補正１】
【補正対象書類名】明細書
【補正対象項目名】発明の名称
【補正方法】変更
【補正の内容】
【発明の名称】インクジェット記録装置およびインクジェット記録方法
【手続補正２】
【補正対象書類名】明細書
【補正対象項目名】０００１
【補正方法】変更
【補正の内容】
【０００１】
本発明は、記録ヘッドからインクを吐出して画像を記録するインクジェット記録装置、およびインクジェット記録方法に関するものである。
【手続補正３】
【補正対象書類名】明細書
【補正対象項目名】０００７
【補正方法】変更
【補正の内容】
【０００７】
本発明の目的は、記録ヘッドがインクの吐出を速やか開始できるように、記録ヘッドの温度を適確に制御することができるインクジェット記録装置およびインクジェット記録方法を提供することにある。
【手続補正４】
【補正対象書類名】明細書
【補正対象項目名】０００８
【補正方法】変更
【補正の内容】
【０００８】
本発明のインクジェット記録装置は、インクを吐出するための記録部と、前記記録部の第１の部位における温度を検出する第１の検出手段と、前記記録部の前記第１の部位と異なる第２の部位における温度を検出する第２の検出手段と、前記記録部からインクを吐出する前に、（ｉ）前記第１の検出手段によって検出された温度が第１の閾値より低い場合に前記記録部の前記第１の部位の加熱を実行し、且つ、前記第１の閾値より高い場合に前記記録部の前記第１の部位の加熱を停止し、（ｉｉ）前記第２の検出手段によって検出された温度が第２の閾値より低い場合に前記記録部の前記第２の部位の加熱を実行し、且つ、前記第２の閾値より高い場合に前記記録部の前記第２の部位の加熱を停止する加熱制御手段と、前記第１の検出手段によって、前記記録部の前記第１の部位における温度として前記第１の閾値よりも高い温度が初めて検出された際に第１の情報を記憶し、且つ、前記第２の検出手段によって、前記記録部の前記第２の部位における温度として前記第２の閾値よりも高い温度が初めて検出された際に第２の情報を記憶する記憶手段と、前記記憶手段が前記第１、第２の情報の両方を記憶した場合に前記記録部からのインクの吐出を開始するように制御する制御手段と、を有することを特徴とする。
【手続補正５】
【補正対象書類名】特許請求の範囲
【補正対象項目名】全文
【補正方法】変更
【補正の内容】
【特許請求の範囲】
【請求項１】
インクを吐出するための記録部と、
前記記録部の第１の部位における温度を検出する第１の検出手段と、
前記記録部の前記第１の部位と異なる第２の部位における温度を検出する第２の検出手段と、
前記記録部からインクを吐出する前に、（ｉ）前記第１の検出手段によって検出された温度が第１の閾値より低い場合に前記記録部の前記第１の部位の加熱を実行し、且つ、前記第１の閾値より高い場合に前記記録部の前記第１の部位の加熱を停止し、（ｉｉ）前記第２の検出手段によって検出された温度が第２の閾値より低い場合に前記記録部の前記第２の部位の加熱を実行し、且つ、前記第２の閾値より高い場合に前記記録部の前記第２の部位の加熱を停止する加熱制御手段と、
前記第１の検出手段によって、前記記録部の前記第１の部位における温度として前記第１の閾値よりも高い温度が初めて検出された際に第１の情報を記憶し、且つ、前記第２の検出手段によって、前記記録部の前記第２の部位における温度として前記第２の閾値よりも高い温度が初めて検出された際に第２の情報を記憶する記憶手段と、
前記記憶手段が前記第１、第２の情報の両方を記憶した場合に前記記録部からのインクの吐出を開始するように制御する制御手段と、を有することを特徴とするインクジェット記録装置。
【請求項２】
前記第１、第２の検出手段は、それぞれ前記記録部の前記第１、第２の部位における温度を所定の時間間隔にて複数回のタイミングで検出することを特徴とする請求項１に記載のインクジェット記録装置。
【請求項３】
前記制御手段は、（ｉ）前記複数回のタイミングのうちの第１のタイミングにおいて前記記憶手段が前記第１、第２の情報のうちの少なくとも一方を記憶していない場合、前記記録部からのインクの吐出を開始せず、且つ、（ｉｉ）前記複数回のタイミングのうちの前記第１のタイミングの次の第２のタイミングにおいて前記記憶手段が前記第１、第２の情報の両方を記憶した場合、前記記録部からのインクの吐出を開始することを特徴とする請求項２に記載のインクジェット記録装置。
【請求項４】
前記第１の検出手段は、前記記録部の前記第１の部位の近傍に設けられた第１のセンサを用いて前記記録部の前記第１の部位の温度を検出し、前記第２の検出手段は、前記記録部の前記第２の部位の近傍に設けられた第２のセンサを用いて前記記録部の前記第２の部位の温度を検出することを特徴とする請求項１から３のいずれか１項に記載のインクジェット記録装置。
【請求項５】
前記記録部は、インクを吐出するための熱エネルギーを生成する複数の記録素子を有する第１の記録ヘッドと、インクを吐出するための熱エネルギーを生成する複数の記録素子を有し、前記第１の記録ヘッドと異なる第２の記録ヘッドと、を少なくとも有し、
前記記録部の前記第１の部位は、前記第１の記録ヘッドの一部に対応し、前記記録部の前記第２の部位は、前記第２の記録ヘッドの一部に対応することを特徴とする請求項１から４のいずれか１項に記載のインクジェット記録装置。
【請求項６】
前記第１、第２の記録ヘッドは、互いに異なる色のインクを吐出することを特徴とする請求項５に記載のインクジェット記録装置。
【請求項７】
前記加熱制御手段は、前記第１、第２の記録ヘッド内の複数の記録素子にインクが吐出されない程度にパルスを印加することにより、前記第１、第２の記録ヘッドの加熱を実行することを特徴とする請求項５または６に記載のインクジェット記録装置。
【請求項８】
前記加熱制御手段は、前記第１の記録ヘッドに設けられた前記記録素子と異なる加熱素子を用いて前記第１の記録ヘッドの加熱を実行し、且つ、前記第２の記録ヘッドに設けられた前記記録素子と異なる加熱素子を用いて前記第２の記録ヘッドの加熱を実行することを特徴とする請求項５または６に記載のインクジェット記録装置。
【請求項９】
前記記録部は、インクを吐出するための熱エネルギーを生成する複数の記録素子が所定方向に配列された記録素子列を有し、
前記記録部の前記第１の部位は、前記記録素子列の前記所定方向における一部の記録素子に対応し、前記記録部の前記第２の部位は、前記記録素子列の前記所定方向における他部の記録素子に対応することを特徴とする請求項１から４のいずれか１項に記載のインクジェット記録装置。
【請求項１０】
前記記録素子列内の前記複数の記録素子は、それぞれ同じ色のインクを吐出することを特徴とする請求項９に記載のインクジェット記録装置。
【請求項１１】
前記一部の記録素子は、前記記録素子列内の前記所定方向における端部に位置し、前記他部の記録素子は、前記記録素子列内の前記所定方向における中央部に位置することを特徴とする請求項９または１０に記載のインクジェット記録装置。
【請求項１２】
前記加熱制御手段は、前記一部の記録素子にインクが吐出されない程度にパルスを印加することにより前記一部の記録素子の加熱を実行し、且つ、前記他部の記録素子にインクが吐出されない程度にパルスを印加することにより前記他部の記録素子の加熱を実行することを特徴とする請求項９から１１のいずれか１項に記載のインクジェット記録装置。
【請求項１３】
前記第２の閾値は、前記第１の閾値と同じ値であることを特徴とする請求項１から１２のいずれか１項に記載のインクジェット記録装置。
【請求項１４】
前記制御手段は、前記記憶手段が前記第１、第２の情報の両方を記憶した場合、前記第１の検出手段によって検出された温度が前記第１の閾値より低くても前記記録部からのインクの吐出を開始するように制御することを特徴とする請求項１から１３のいずれか１項に記載のインクジェット記録装置。
【請求項１５】
前記制御手段は、前記記憶手段が前記第１、第２の情報の両方を記憶した場合に画像の記録に寄与しないインクの予備吐出を開始することを特徴とする請求項１から１４のいずれか１項に記載のインクジェット記録装置。
【請求項１６】
前記記録部の前記第１、第２の部位と異なる第３の部位における温度を検出する第３の検出手段を更に有し、
前記加熱制御手段は、前記記録部からインクを吐出する前に、前記第３の検出手段によって検出された温度が第３の閾値より低い場合に前記記録部の前記第３の部位の加熱を実行し、且つ、前記第３の閾値より高い場合に前記記録部の前記第３の部位の加熱を停止し、
前記記憶手段は、前記第３の検出手段によって、前記記録部の前記第３の部位における温度として前記第３の閾値よりも高い温度が初めて検出された際に第３の情報を記憶し、
前記制御手段は、前記記憶手段が前記第１、第２、第３の情報のすべてを記憶した場合に前記記録部からのインクの吐出を開始するように制御することを特徴とする請求項１から１５のいずれか１項に記載のインクジェット記録装置。
【請求項１７】
インクを吐出するための記録部と、
前記記録部の第１の部位における温度を検出する第１の検出手段と、
前記記録部の前記第１の部位と異なる第２の部位における温度を検出する第２の検出手段と、
前記記録部からインクを吐出する前に、（ｉ）前記第１の検出手段によって検出された温度が第１の閾値より低い場合に前記記録部の前記第１の部位の加熱を実行し、且つ、前記第１の閾値より高い場合に前記記録部の前記第１の部位の加熱を停止し、（ｉｉ）前記第２の検出手段によって検出された温度が第２の閾値より低い場合に前記記録部の前記第２の部位の加熱を実行し、且つ、前記第２の閾値より高い場合に前記記録部の前記第２の部位の加熱を停止する加熱制御手段と、
前記第１の検出手段によって、前記記録部の前記第１の部位における温度として前記第１の閾値よりも高い温度が検出された際に第１の情報を取得し、且つ、前記第２の検出手段によって、前記記録部の前記第２の部位における温度として前記第２の閾値よりも高い温度が検出された際に第２の情報を取得する取得手段と、
前記取得手段が前記第１、第２の情報の両方を少なくとも１回取得した場合に前記記録部からのインクの吐出を開始するように制御する制御手段と、を有することを特徴とするインクジェット記録装置。
【請求項１８】
前記第１、第２の検出手段は、それぞれ前記記録部の前記第１、第２の部位における温度を所定の時間間隔にて複数回のタイミングで検出することを特徴とする請求項１７に記載のインクジェット記録装置。
【請求項１９】
前記制御手段は、（ｉ）前記複数回のタイミングのうちの第１のタイミングまでのタイミングにおいて前記取得手段が前記第１の情報を少なくとも１回取得し、且つ、前記第２の情報を１回も取得していない場合、前記第１のタイミングにおいて前記記録部からのインクの吐出を開始せず、且つ、（ｉｉ）前記複数回のタイミングのうちの前記第１のタイミングの次の第２のタイミングにおいて前記取得手段が前記第２の情報を取得した場合、前記第２のタイミングにおいて前記第１の検出手段によって取得された温度が前記第１の閾値よりも低くても、前記第２のタイミングにおいて前記記録部からのインクの吐出を開始することを特徴とする請求項１８に記載のインクジェット記録装置。
【請求項２０】
インクを吐出するための記録部を用いて記録を行うインクジェット記録方法であって、
前記記録部の第１の部位における温度を検出する第１の検出工程と、
前記記録部の前記第１の部位と異なる第２の部位における温度を検出する第２の検出工程と、
前記記録部からインクを吐出する前に、（ｉ）前記第１の検出工程によって検出された温度が第１の閾値より低い場合に前記記録部の前記第１の部位の加熱を実行し、且つ、前記第１の閾値より高い場合に前記記録部の前記第１の部位の加熱を停止し、（ｉｉ）前記第２の検出工程によって検出された温度が第２の閾値より低い場合に前記記録部の前記第２の部位の加熱を実行し、且つ、前記第２の閾値より高い場合に前記記録部の前記第２の部位の加熱を停止する加熱制御工程と、
前記第１の検出工程によって、前記記録部の前記第１の部位における温度として前記第１の閾値よりも高い温度が初めて検出された際に第１の情報を記憶し、且つ、前記第２の検出工程によって、前記記録部の前記第２の部位における温度として前記第２の閾値よりも高い温度が初めて検出された際に第２の情報を記憶する記憶工程と、
前記記憶工程が前記第１、第２の情報の両方を記憶した場合に前記記録部からのインクの吐出を開始するように制御する制御工程と、を有することを特徴とするインクジェット記録方法。